(57)【特許請求の範囲】
【請求項１】
床置型の空調室内機（１００ａ）であって、
調和済空気の吹出口（Ｅ）を形成する吹出口形成部材（４０）と、
前記吹出口より吹き出される前記調和済空気の左右方向の風向を調整し、回動軸（６２）が鉛直方向に延び、閉状態時に前記吹出口の左端近傍部を覆う第１左右風向調整フラップ（２２ａ）と、
前記吹出口より吹き出される前記調和済空気の左右方向の風向を調整し、回動軸（６２）が鉛直方向に延び、閉状態時に前記吹出口の右端近傍部を覆う第２左右風向調整フラップ（２２ｂ）と、
を備え、
開状態に移行するときに、前記第１左右風向調整フラップは、その左端が前方に移動し、その右端が後方に移動するように回動し、前記第２左右風向調整フラップは、その右端が前方に移動し、その左端が後方に移動するように回動する、
空調室内機（１００ａ）。
【請求項２】
前記第１左右風向調整フラップの回動の始動と前記第２左右風向調整フラップの回動の始動との間に時間差を設けるように制御する制御部（５０）、
をさらに備えた、
請求項１に記載の空調室内機（１００ａ）。
【請求項３】
本体を形成するケーシング部材（２１）、
をさらに備え、
前記吹出口形成部材は、前記吹出口の左右内側壁を形成する左右内側壁部（４１）を有し、
前記ケーシング部材の外表面は、吹出後冷気進行空間（Ｚ）の外に位置し、
前記吹出後冷気進行空間は、前記左右内側壁部の先端（４１ａ）から前記左右風向調整フラップの正面吹き方向に対する最大左右角度（θ）の方向に延びる仮想面（Ａ）から前側の空間である、
請求項２に記載の空調室内機（１００ａ）。
【請求項４】
前記左右内側壁部の先端は、前記第１左右風向調整フラップおよび前記第２左右風向調整フラップが閉状態において、前記第１左右風向調整フラップおよび前記第２左右風向調整フラップの背後に隠れる、
請求項３に記載の空調室内機（１００ａ）。
【発明の詳細な説明】
【技術分野】
【０００１】
本発明は、空調室内機に関する。
【背景技術】
【０００２】
従来から、吹き出される空気の風向を左右方向に調整するフラップを備える空調室内機が提供されてきた。例えば、特許文献１（特開２００６−０６４２１９号公報）には、吹出口を製品両サイドに縦長に配置した床置き型の空調室内機が提案されている。
【発明の概要】
【発明が解決しようとする課題】
【０００３】
ところで、特許文献１に記載の空調室内機では、運転時はフラップの製品中央側が製品前方に出るように回転させている。しかし、このようにフラップを製品中央側が前方に出るように回転させた場合、フラップの製品外側端部の回転軌跡が、吹出口端部と接触しないようにしなければならないため、フラップを大きくできず、風向調整性能が上げられない。また、吹出口端部との接触を回避しようとするとフラップに対して開口が大きくなる為、停止時の見た目も悪いという問題がある。
【０００４】
そこで、本発明の課題は、外観が美しく、かつ、風向調整性能を向上することが可能な空調室内機を提供することにある。
【課題を解決するための手段】
【０００５】
本発明の第１観点に係る空調室内機は、床置型の空調室内機であって、吹出口形成部材と、第１左右風向調整フラップと、第２左右風向調整フラップとを備える。吹出口形成部材は、調和済空気の吹出口を形成する。第１左右風向調整フラップは、その回動軸が鉛直方向に延び、吹出口より吹き出される調和済空気の左右方向の風向を調整する。第１左右風向調整フラップは、閉状態時に吹出口の左端近傍部を覆う。第２左右風向調整フラップは、その回動軸が鉛直方向に延び、吹出口より吹き出される調和済空気の左右方向の風向を調整する。第２左右風向調整フラップは、閉状態時に吹出口の右端近傍部を覆う。開状態に移行するときに、第１左右風向調整フラップは、その左端が前方に移動し、その右端が後方に移動するように回動する。第２左右風向調整フラップは、その右端が前方に移動し、その左端が後方に移動するように回動する。
【０００６】
両フラップは、内向きに引っ込むように回動することにより開く。これにより、吹出口に対して、フラップを大きく取れるため、風向調整性能がよくなると共に、停止時に開口部がフラップ背面に隠れる為、外観が美しい。
【０００７】
本発明の第２観点に係る空調室内機は、第１観点に係る空調室内機であって、制御部を更に備える。制御部は、第１左右風向調整フラップの回動の始動と第２左右風向調整フラップの回動の始動との間に時間差を設けるように制御する。
【０００８】
これにより、両フラップの中央部での回転軌跡が交差していても、フラップを開く事ができるため、両フラップ間の隙間をつめることができる。その結果、優れた美観を生ずるとともに、停止時に製品内部にゴミが侵入するのを抑えることができる。
【０００９】
本発明の第３観点に係る空調室内機は、第２観点に係る空調室内機であって、本体を形成するケーシング部材をさらに備える。吹出口形成部材は、吹出口の左右内側壁を形成する左右内側壁部を有する。ケーシング部材の外表面は、吹出後冷気進行空間の外に位置する。吹出後冷気進行空間は、左右内側壁部の先端から左右風向調整フラップの正面吹き方向に対する最大左右角度の方向に延びる仮想面から前側の空間である。
【００１０】
これにより、ケーシング表面に冷気が触れるのを抑制し、冷房運転時における結露を抑制する。
【００１１】
本発明の第４観点に係る空調室内機は、第３観点に係る空調室内機であって、左右内側壁部の先端は、第１左右風向調整フラップおよび第２左右風向調整フラップが閉状態において、第１左右風向調整フラップおよび第２左右風向調整フラップの背後に隠れる。
【００１２】
これにより、優れた美観を生ずる。
【発明の効果】
【００１３】
本発明の第１観点に係る空調室内機では、吹出口に対して、フラップを大きく取れるため、風向調整性能がよくなると共に、停止時に開口部がフラップ背面に隠れる為、外観が美しい。
【００１４】
本発明の第２観点に係る空調室内機では、優れた美観を生ずるとともに、停止時に製品内部にゴミが侵入するのを抑える。
【００１５】
本発明の第３観点に係る空調室内機では、ケーシング表面に冷気が触れるのを抑制し、冷房運転時における結露を抑制する。
【００１６】
本発明の第４観点に係る空調室内機では、優れた美観を生ずる。
【図面の簡単な説明】
【００１７】
【図１】空調機の冷媒回路図。
【図２】空調室内機の外観斜視図。
【図３】空調室内機の外観正面図。
【図４】前面下部パネル、下部パネルカバー及び垂直フラップ、等を外した状態の空調室内機の正面図。
【図５】図３のＶ−Ｖ断面図。
【図６】垂直フラップの軌跡を示す図５と同様の図。
【発明を実施するための形態】
【００１８】
本発明の一実施形態に係る空調室内機である空調室内機１００ａについて、以下、図面を参照しながら説明する。
【００１９】
（１）空調機の全体構成
図１は、空調機１００の冷媒回路図である。以下、空調機１００の全体構成について図１を参照しながら説明する。
【００２０】
空調機１００は、冷房と暖房との両方の運転が可能であり、主に居室Ｒ内に設置される空調室内機１００ａと居室Ｒの外に設置される空調室外機１００ｂとから構成されている。空調室内機１００ａは、室内熱交換器５と、シロッコファン３１（図４参照）とを有する。空調室外機１００ｂは、圧縮機２、室外熱交換器３、膨張機構４、四路切替弁６、及び図示しないファンを有する。
【００２１】
圧縮機２は、低圧の冷媒を吸入して圧縮し、高圧にして吐出する。
【００２２】
室外熱交換器３は、冷房運転時には、冷媒を凝縮させる凝縮器として機能し、暖房運転時には、冷媒を蒸発させる蒸発器として機能する。室外熱交換器３と熱交換する空気は、ファンにより供給される。
【００２３】
膨張機構４は、高圧の冷媒を減圧・膨張させる。
【００２４】
室内熱交換器５は、冷房運転時には、冷媒を蒸発させる蒸発器として機能し、暖房運転時には、冷媒を凝縮させる凝縮器として機能する。室内熱交換器５と熱交換する空気は、シロッコファン３１により供給される。
【００２５】
四路切替弁６は、冷房運転時と暖房運転時とで、冷媒の流れを切り替える。具体的には、冷房運転時には、室内熱交換器５から延びる冷媒配管１２ｂを圧縮機２への吸入配管１０ａに接続し、圧縮機２からの吐出管１０ｂを室外熱交換器３へ延びる冷媒配管１１ａに接続する。暖房運転時には、室外熱交換器３から延びる冷媒配管１１ａを圧縮機２への吸入配管１０ａに接続し、圧縮機２からの吐出管１０ｂを室内熱交換器５へ延びる冷媒配管１２ｂに接続する。
【００２６】
空調機１００の冷媒回路では、図１に示すように、圧縮機２は、吐出管１０ｂ及び冷媒配管１１ａにより四路切替弁６を介して室外熱交換器３に接続されている。室外熱交換器３は、冷媒配管１１ｂにより膨張機構４に接続されている。膨張機構４は、冷媒配管１２ａにより室内熱交換器５に接続されている。室内熱交換器５は、冷媒配管１２ｂ及び吸入管１０ａにより四路切替弁６を介して圧縮機２に接続されている。
【００２７】
（２）空調室内機の構成
図２〜図６を参照しながら空調室内機１００ａの構成について説明する。なお、以下において、左右、前後、上下は、図２に示した方向を意味する。
【００２８】
（２−１）外観
図２は、空調室内機１００ａの外観斜視図である。図３は、空調室内機１００ａの正面図である。
【００２９】
空調室内機１００ａは、居室Ｒの床上に設置される床置型である。空調室内機１００ａは、高さ方向（鉛直方向）に長い形状をしており、エンタシスのように高さ方向中央部から上部及び下部それぞれにかけて徐々に幅が細くなっている。空調室内機１００ａの外表面、即ち本体は、ケーシング部材２１により形成されている。
【００３０】
ケーシング部材２１は、樹脂製であり、主に前面から側面を覆う前面カバーと側面から背面を覆う背面カバー２１ｂとから構成されている。前面カバーは、さらに前面上部パネル２１ａ、前面下部パネル２１ｃ、および下部パネルカバー２３、等の複数のパーツから構成されている。
【００３１】
前面上部パネル２１ａは、上部の側面から前面にかけて覆い、前面の幅方向中央には、吹出口Ｅのための鉛直に長い長方形の穴が形成されている。
【００３２】
前面下部パネル２１ｃは、下部の側面から前面にかけて覆い、前面の幅方向中央には、吸込口Ｉのための鉛直に長い長方形の穴が形成されている。また、前面下部パネル２１ｃには、両側面にあたる部分にも吸込口Ｉのための穴が格子状に形成されている。
【００３３】
下部パネルカバー２３は、前面下部の幅方向中央の吸込口Ｉとして形成されている穴の前を覆う。下部パネルカバー２３の幅方向両端と、前面下部パネル２１ｃとの間には、隙間が形成されている。この隙間は、居室内の空気を空調室内機１００ａの内部に取り込む吸込口Ｉとなっている。
【００３４】
空調室内機１００ａの前面のうち高さ方向中央部より上方には、高さ方向に長い２枚の垂直フラップ２２が設けられている。
【００３５】
２枚の垂直フラップ２２の後方、即ち背面側には、室内熱交換器５を通過した空気が吹き出される吹出口Ｅが設けられている。
【００３６】
２枚の垂直フラップ２２を合わせた幅と下部パネルカバー２３の幅とは、同じであり、２枚の垂直フラップ２２を合わせた左右両端と下部パネルカバー２３の左右両端が揃うように構成されている。このため、優れた美観を生ずる。
【００３７】
前面上部パネル２１ａの吹出口Ｅに近接する部分には、窪み２１ｄが設けられている。
【００３８】
（２−２）内部構造
図４は、前面下部パネル２１ｃ、下部パネルカバー２３及び垂直フラップ２２を外した状態の空調室内機１００ａの正面図である。
【００３９】
シロッコファン３１は、図４に示されているように空調室内機１００ａの高さ方向の中央部より下方に設けられており、下部パネルカバー２３及び吸込口Ｉの後方に位置する。シロッコファン３１は、居室Ｒ内の空気を空調室内機１００ａの内部に吸い込む。吸い込まれた空気は、空調室内機１００ａ内を上方に移動する。
【００４０】
図５は、図３のＶ−Ｖ断面図である。
【００４１】
シロッコファン３１により居室Ｒ内の空気を空調室内機１００ａの内部に吸い込まれた空気は、空調室内機１００ａ内を上方に移動し、室内熱交換器５を通過する。室内熱交換器５を通過する際に冷媒と熱交換した空気は、吹出口Ｅから居室Ｒ内に吹き出される。
【００４２】
吹出口Ｅは、空調室内機１００ａの前面の高さ方向中央部より上方に設けられている。吹出口Ｅは、高さ方向に長い長方形の形状をしており、空調室内機１００ａの内部から居室Ｒへの開口である。吹出口Ｅは、吹出口形成部材４０により形成されている。
【００４３】
図５に示すように吹出口Ｅの奥に室内熱交換器５が配置されており、その前方に水平フラップ２４が設けられている。水平フラップ２４の前方には、垂直フラップ２２が設けられている。
【００４４】
（２−３）水平フラップ
水平フラップ２４は、吹出口Ｅ内に高さ方向に並んで複数設けられている。複数の水平フラップ２４は、それぞれ水平方向に延びる回動軸により軸支されており、図示しないアクチュエータにより駆動されて回動することにより、上下方向に傾くように構成されている。複数の水平フラップ２４は、当該上下方向の傾きにより吹出口Ｅからの風向を上下方向に調整する。
【００４５】
（２−４）垂直フラップ
垂直フラップ２２は、左側の第１垂直フラップ２２ａと右側の第２垂直フラップ２２ｂとの２つが設けられている。この２つの垂直フラップ２２は、それぞれ鉛直方向に延びる回動軸６２により軸支されており、図示しないアクチュエータにより駆動されて回動することにより、それぞれ別々に左右方向に傾くように構成されている。垂直フラップ２２は、当該左右方向の傾きにより風向を左右方向に調整する。２枚の垂直フラップ２２は、吹出口Ｅから空気が吹き出されない場合は、吹出口Ｅを閉じた閉状態となるように構成されている。即ち、閉状態では、図３及び図５に示すように、第１垂直フラップ２２ａは、吹出口Ｅの左端近傍部（左半分）を覆い、第２垂直フラップ２２ｂは、吹出口Ｅの右端近傍部（右半分）を覆うように構成されている。なお、２枚の垂直フラップ２２が閉状態のとき、吹出口Ｅは、垂直フラップ２２の背面側に隠れ外からは視認できない。
【００４６】
垂直フラップ２２は、図５に示すように、閉状態から内向きに回動し、吹出口Ｅが外観上視認可能な開状態となる。具体的には、左側の第１垂直フラップ２２ａは、その左端が前方に移動し、その右端が後方に移動するように回動する。右側の第２垂直フラップ２２ｂは、その右端が前方に移動し、その左端が後方に移動するように回動する。この開状態の時に吹出口Ｅから室内熱交換器５を通過した空気を居室Ｒ内に吹き出すことが可能となる。
【００４７】
（２−５）制御部
制御部５０は、ＣＰＵ等で構成されており、垂直フラップ２２や水平フラップ２４の傾き、およびシロッコファン３１の回転、等、空調室内機１００ａの制御を行う。
【００４８】
制御部５０は、２つの垂直フラップ２２を閉状態から内向きに回動させて閉状態にさせる。即ち、制御部５０は、上述の通り左側の第１垂直フラップ２２ａについては、その左端が前方に移動し、その右端が後方に移動するように回動させる。右側の第２垂直フラップ２２ｂについては、その右端が前方に移動し、その左端が後方に移動するように回動させる。
【００４９】
制御部５０は、第１垂直フラップ２２ａ及び第２垂直フラップ２２ｂを閉状態から開状態にする時、或いは、開状態から閉状態にする時、第１垂直フラップ２２ａの回動のタイミングと第２垂直フラップ２２ｂの回動のタイミングとを異ならせる。第１垂直フラップ２２ａと第２垂直フラップ２２ｂとの間に隙間が殆ど無い、そのため図６に示すように第１垂直フラップ２２ａの右端の回動の軌跡Ｔ１と第２垂直フラップ２２ｂの左端の回動の軌跡Ｔ２とが交差しており、同じタイミングで回動させると第１垂直フラップ２２ａと第２垂直フラップ２２ｂとが衝突する。しかし、第１垂直フラップ２２ａの回動のタイミングと第２垂直フラップ２２ｂの回動のタイミングとをずらすことにより、第１垂直フラップ２２ａと第２垂直フラップ２２ｂとが衝突するのを避ける事が出来る。これにより、閉状態における第１垂直フラップ２２ａと第２垂直フラップ２２ｂとの間隔をつめることができ、間隔をつめても第１垂直フラップ２２ａと第２垂直フラップ２２ｂとが互いに干渉せずに回動するようにできる。閉状態における第１垂直フラップ２２ａと第２垂直フラップ２２ｂとの間隔をつめると優れた美観を生ずるだけでなく、ゴミ等の異物の吹出口Ｅへの混入を抑えることができる。
【００５０】
（２−６）吹出口形成部材
吹出口形成部材４０は、樹脂製の部材であり、前述のとおり高さ方向に長い長方形の吹出口Ｅを形成する。吹出口形成部材４０は、吹出口Ｅの左右の内側壁を形成する左右内側壁部４１と、吹出口Ｅの上下の内側壁を形成する上下内側壁部４２とを有する。なお、吹出口形成部材４０は、ケーシング部材２１とは別の部材となっている。このため、吹出口形成部材４０が冷気により冷却されても、その冷温がケーシング部材２１に伝わりにくくなっている。
【００５１】
左右内側壁部４１の左右それぞれの表面には、正面吹き方向に対する段差が形成されている。具体的には、左右内側壁部４１の先端４１ａは、図６に示すように、近接するケーシング部材２１（前面上部パネル２１ａ）の外表面よりも前方に突き出ており、吹出口Ｅが前方に向かって左右方向に広がるように左右方向斜めに延びる面を有している。つまり、吹出口Ｅを正面から見ると左右の側壁に吹出口Ｅが奥に向かって狭くなる段差（傾斜を含む）が設けられている。左右内側壁部４１の先端４１ａの左右方向斜めに延びる面は、後述する最大左右角度θにある状態の垂直フラップ２２に略平行となるように構成されている。なお、吹出口Ｅが垂直フラップ２２により閉じられた閉状態では、左右内側壁部４１の先端４１ａは、垂直フラップ２２の背面側に隠れて外観上視認できない。
【００５２】
（２−７）吹出後冷気進行空間
吹出後冷気進行空間Ｚは、吹出口Ｅから吹き出された後の空気（例えば、冷房運転時には、冷気）が進行する空間である。
【００５３】
吹出口形成部材４０、ケーシング部材２１、及び垂直フラップ２２は、吹出後冷気進行空間Ｚの外にケーシング部材２１の外表面が位置するように構成されており、ケーシング部材２１の外表面に冷気が接するのを効果的に抑制している。
【００５４】
ケーシング部材２１の表面の吹出口形成部材４０の左右内側壁部４１に近接する領域には、前述の窪み２１ｄが形成されている。このため、図５に示されているように吹出口Ｅが近接するケーシング部材２１の外表面よりも前に突出したような構造になっている。
【００５５】
左右内側壁部４１の先端４１ａから窪み２１ｄを形成するケーシング部材２１の外表面のうち後方に最も凹んだ部分までの寸法（図５のＤ１）、即ち窪み２１ｄの深さは、少なくとも１０ｍｍとなっている。また、ケーシング部材２１の外表面のうち最も前方に位置する部分から仮想面Ａまでの距離（図５のＤ２）は、少なくとも１０ｍｍである。即ち、ケーシング部材２１は、吹出後冷気進行空間Ｚから少なくとも１０ｍｍ離れている。
【００５６】
垂直フラップ２２は、その正面吹き方向に対する左右方向への最大の角度である最大左右角度θが、左右内側壁部４１の先端４１ａから最大左右角度θの方向に延びる仮想線を含み且つ鉛直に広がる仮想面Ａよりもケーシング部材２１が後方に位置するように制御される。吹出口Ｅから吹出された後の冷気が進行する吹出後冷気進行空間Ｚは、この仮想面Ａから前側に位置する。
【００５７】
このように、吹き出された冷気を垂直フラップ２２により上下左右に拡散させてもケーシング部材２１の外表面、即ち空調室内機１００ａの外表面は、吹出後冷気進行空間Ｚの外に位置する。したがって、当該外表面には、冷房運転時に吹出口Ｅから吹き出される冷気が触れにくくなっており、結露しにくくなっている。
【００５８】
（３）動作
（３−１）空調機全体の動作
冷房運転時の空調機１００の動作について図１を参照しながら説明する。
【００５９】
吸入管１０ａから圧縮機２に吸い込まれる低圧のガス冷媒は、圧縮されて高温高圧の冷媒となり、吐出管１０ｂへと吐出される。吐出された冷媒は、四路切替弁６を通過し、冷媒配管１１ａを通り、室外熱交換器３へ流れる。室外熱交換器３へ流れ込んだ冷媒は、空気と熱交換して冷却された後、冷媒配管１１ｂを介して膨張機構４へ到達する。冷媒は、膨張機構４にて減圧・膨張された後、冷媒配管１２ａを介して室内熱交換器５に流れ込む。冷媒は、室内熱交換器５にて居室Ｒ内の空気から熱を奪い、過熱のついた低圧のガス冷媒になる。過熱のついた低圧のガス冷媒になった冷媒は、冷媒配管１２ｂを介して四路切替弁６を通過し、吸入管１０ａへと流れていく。
【００６０】
（３−２）空調室内機の動作
空調室内機１００ａの動作について、図４〜図５を参照しながら説明する。
【００６１】
居室Ｒ内に設置された空調室内機１００ａでは、シロッコファン３１の回転により居室Ｒ内の空気が吸込口Ｉから空調室内機１００ａ内に吸い込まれる。空調室内機１００ａ内に吸い込まれた空気は、空調室内機１００ａ内を上方に流れ、室内熱交換器５を通過する。室内熱交換器５を通過する際に空気は、熱を奪われ冷気となる。冷気となった調和済の空気は、吹出口Ｅから居室Ｒ内へ吹き出される。吹き出される冷気は、水平フラップ２４の上下方向の傾きにより上下方向の風向が調節される。また、吹き出される冷気は、垂直フラップ２２の左右方向の傾きにより左右方向の風向が調節される。
【００６２】
（４）空調室内機の特徴
（４−１）
上記実施形態では、空調室内機１００ａは、床置型であって、吹出口形成部材４０と、第１垂直フラップ２２ａと、第２垂直フラップ２２ｂとを備える。吹出口形成部材４０は、調和済空気の吹出口Ｅを形成する。第１垂直フラップ２２ａは、その回動軸６２が鉛直方向に延び、吹出口Ｅより吹き出される調和済空気の左右方向の風向を調整する。第１垂直フラップ２２ａは、閉状態時に吹出口Ｅの左端近傍部を覆う。第２垂直フラップ２２ｂは、その回動軸６２が鉛直方向に延び、吹出口Ｅより吹き出される調和済空気の左右方向の風向を調整する。第２垂直フラップ２２ｂは、閉状態時に吹出口Ｅの右端近傍部を覆う。開状態に移行するときに、第１垂直フラップ２２ａは、その左端が前方に移動し、その右端が後方に移動するように回動する。第２垂直フラップ２２ｂは、その右端が前方に移動し、その左端が後方に移動するように回動する。
【００６３】
両垂直フラップ２２は、内向きに引っ込むように回動することにより開く。これにより、吹出口に対して、垂直フラップ２２を大きく取れるため、風向調整性能が向上すると共に、停止時に吹出口Ｅが垂直フラップ２２の背面側に隠れる為、外観が美しい。
【００６４】
（４−２）
上記実施形態では、制御部５０を更に備える。制御部５０は、第１垂直フラップ２２ａの回動の始動と第２垂直フラップ２２ｂの回動の始動との間に時間差を設けるように制御する。
【００６５】
これにより、両垂直フラップ２２の中央部での回転軌跡Ｔ１及びＴ２が交差していても、垂直フラップ２２を開く事ができるため、両垂直フラップ２２間の隙間をつめる事ができる。その結果、優れた美観を生ずるとともに、停止時に製品内部にゴミが侵入するのを抑えることができる。
【００６６】
（４−３）
上記実施形態では、本体を形成するケーシング部材２１をさらに備える。吹出口形成部材４０は、吹出口Ｅの左右内側壁を形成する左右内側壁部４１を有する。ケーシング部材２１の外表面は、吹出後冷気進行空間Ｚの外に位置する。吹出後冷気進行空間Ｚは、左右内側壁部４１の先端４１ａから垂直フラップ２２の正面吹き方向に対する最大左右角度θの方向に延びる仮想面Ａから前側の空間である。
【００６７】
これにより、ケーシング部材２１の外表面に冷気が触れるのを抑制し、冷房運転時における結露を抑制する。
【００６８】
（４−４）
上記実施形態では、左右内側壁部４１の先端４１ａは、第１垂直フラップ２２ａおよび第２垂直フラップ２２ｂが閉状態において、両垂直フラップ２２の背後に隠れる。
【００６９】
これにより、優れた美観を生じている。
【００７０】
（５）変形例
上記実施形態では、空調室内機１００ａは、垂直フラップ２２を２つ備えていた。しかし、他の実施形態においては、垂直フラップ２２を３つ以上備えていても良い。この場合でも、吹出口Ｅの両側端に位置する垂直フラップ２２、即ち第１垂直フラップ２２ａおよび第２垂直フラップ２２ｂをそれぞれ上述のとおり内向きに回動させて開状態になるようにすればよい。
【産業上の利用可能性】
【００７１】
本発明は、冷房運転が可能な空調室内機に有用である。
【符号の説明】
【００７２】
２１      ケーシング部材
２１ｄ    窪み
２２      垂直フラップ（左右風向調整フラップ）
２２ａ    第１垂直フラップ（第１左右風向調整フラップ）
２２ｂ    第２垂直フラップ（第２左右風向調整フラップ）
４０      吹出口形成部材
４１      左右内側壁部
４１ａ    先端
１００ａ  空調室内機
Ａ        仮想面
Ｅ        吹出口
Ｚ        吹出後冷気進行空間
【先行技術文献】
【特許文献】
【００７３】
【特許文献１】特開２００６−０６４２１９号公報
【要約】
【課題】外観が美しく、かつ、風向調整性能を向上することが可能な空調室内機。
【解決手段】空調室内機１００ａは、床置型であって、吹出口形成部材４０と、第１垂直フラップ２２ａと、第２垂直フラップ２２ｂとを備える。吹出口形成部材４０は、調和済空気の吹出口Ｅを形成する。第１垂直フラップ２２ａおよび第２垂直フラップ２２ｂは、その回動軸６２が鉛直方向に延び、吹出口Ｅより吹き出される調和済空気の左右方向の風向を調整する。第１垂直フラップ２２ａは、閉状態時に吹出口Ｅの左端近傍部を覆う。第２垂直フラップ２２ｂは、閉状態時に吹出口Ｅの右端近傍部を覆う。開状態に移行するときに、第１垂直フラップ２２ａは、その左端が前方に移動し、その右端が後方に移動するように回動する。第２垂直フラップ２２ｂは、その右端が前方に移動し、その左端が後方に移動するように回動する。
【選択図】図５【図１】
0005382177.tif 000002
【図２】
0005382177.tif 000003
【図３】
0005382177.tif 000004
【図４】
0005382177.tif 000005
【図５】
0005382177.tif 000006
【図６】
0005382177.tif 000007